(57)【要約】【課題】ツールボックスに保管された工具，部品等の自動提供及び自動在庫管理が可能で工具等の盗難防止ができるスマートＩＯＴツールボックスシステムの提供。【解決手段】本システムは，使用者端末，管理サーバー，前記ツールボックス及び自動供給装置を含み，工具等の需要者は使用者端末を介して所要の工具等を使用・借用又は使用した工具等を返納するため，使用等の予定の工具等の種類及び数量の要請，又は返納予定の工具等の種類等の要請を管理サーバーに伝送し，前記ツールボックスは工具等を種類別保管可能な複数の保管ボックスを含み，管理サーバーは，使用者端末から前記要請を受信するとき，需要者が使用等の予定のある工具等が要請した数量だけ前記ツールボックスに保管があれば需要者情報を前記供給装置に伝送し，該供給装置は，サーバーからの需要者情報を受信したとき，需要者の位置に前記スマートＩＯＴツールボックスを移送する。【選択図】図１
2020161113.tif 000002
【特許請求の範囲】
【請求項１】
スマートＩＯＴツールボックスシステムであって，
使用者端末，管理サーバー，スマートＩＯＴツールボックス及び自動供給装置を含み，
工具又は部品の需要者は，前記使用者端末を介して所要の工具又は部品を使用又は借用するかあるいは使用した工具又は部品を返納するために，使用又は借用しようとする工具又は部品の種類及び数量に対する要請，又は返納しようとする工具又は部品の種類又は数量に対する要請を前記管理サーバーに伝送し，
前記スマートＩＯＴツールボックスは工具又は部品を種類別に保管することができる複数の保管ボックスを含み，
前記管理サーバーは，前記使用者端末から前記要請を受信するとき，需要者が使用又は借用しようとする種類の工具又は部品が要請した数量だけ前記スマートＩＯＴツールボックスに保管されていれば，需要者情報を前記自動供給装置に伝送し，
前記自動供給装置は，前記管理サーバーから前記需要者情報を受信する場合，前記需要者の位置に前記スマートＩＯＴツールボックスを移送することを特徴とするスマートＩＯＴツールボックスシステム。
【請求項２】
前記スマートＩＯＴツールボックスは，前記それぞれの保管ボックスに保管された工具又は部品の重さを測定することができる計量器を備え，種類別工具又は部品の重さを測定し，測定された重さ情報を前記管理サーバーに伝送し，
前記管理サーバーは，前記スマートＩＯＴツールボックスから伝送された種類別工具又は部品の重さ情報に基づいて前記工具又は部品の数量を計算して記録する請求項１記載のスマートＩＯＴツールボックスシステム。
【請求項３】
前記管理サーバーは，前記スマートＩＯＴツールボックスに保管された工具又は部品の種類及び数量と種類別工具又は部品の使用者又は貸手の情報を前記使用者端末に伝送することを特徴とする請求項１又は２記載のスマートＩＯＴツールボックスシステム。
【請求項４】
前記管理サーバーは，前記スマートＩＯＴツールボックスに保管された種類別工具又は部品の数量が基準に達しない場合，前記工具又は部品の貸手に前記貸手の使用者端末を介して回収要請をするかあるいは前記工具又は部品の製造社に購買申込みをすることを特徴とする請求項１又は２記載のスマートＩＯＴツールボックスシステム。
【請求項５】
前記スマートＩＯＴツールボックスは，ハウジング，及び前記ハウジングに備えられ，工具又は部品を種類別に別個に保管する複数の保管ボックスを含み，
前記複数の保管ボックスのそれぞれは，前記それぞれの保管ボックスに保管された工具又は部品の重さを測定するための計量器を備え，
前記計量器で測定された種類別工具又は部品の重さについての情報を前記管理サーバーに伝送する制御部をさらに含むことを特徴とする請求項２記載のスマートＩＯＴツールボックスシステム。
【請求項６】
前記それぞれの保管ボックスは，前記保管ボックスを開閉することができるドア，及び前記ドアのロック装置を含み，
前記自動供給装置によって前記スマートＩＯＴツールボックスが前記需要者の位置に移送される場合，前記制御部は，前記需要者が使用又は借用を要請するか返納を要請した工具又は部品が保管された保管ボックスのロック装置を解除して前記ドアが開けられるようにすることを特徴とする請求項５記載のスマートＩＯＴツールボックスシステム。
【請求項７】
前記それぞれの保管ボックスは，電動モータをさらに備え，
前記電動モータは前記ドアが自動で開けられるように駆動することを特徴とする請求項６記載のスマートＩＯＴツールボックスシステム。
【請求項８】
前記それぞれの保管ボックスは，表示灯をさらに含み，
前記工具又は部品が保管された保管ボックスのロック装置が解除される場合，前記保管ボックスの表示灯が点灯することを特徴とする請求項６記載のスマートＩＯＴツールボックスシステム。
【請求項９】
前記スマートＩＯＴツールボックスは，前記保管ボックスの他に，使用された工具又は部品を返納するための返納ボックスをさらに備え，
前記返納ボックスは，前記返納ボックスに返納された工具又は部品の重さを測定することができる計量器を備え，
前記制御部は，前記計量器によって測定された工具又は部品の重さについての情報を前記管理サーバーに伝送し，前記管理サーバーは，前記重さについての情報に基づいて返納された工具又は部品の種類を識別し，前記制御部に前記返納された工具又は部品が保管されるべき保管ボックスの位置についての情報を伝送し，前記制御部は，前記スマートＩＯＴツールボックスの内部に備えられた移送装置を用い，前記伝送された情報に基づいて前記返納ボックスに返納された工具又は部品を保管されるべき保管ボックスに移動させることを特徴とする請求項５記載のスマートＩＯＴツールボックスシステム。
【請求項１０】
前記自動供給装置は，前記管理サーバーから前記需要者情報を受信して前記需要者の位置に前記スマートＩＯＴツールボックスを運搬する場合，前記需要者の使用者端末の位置追跡によって又は前記自動供給装置に予め入力された需要者の作業場位置の情報を用いて運搬することを特徴とする請求項１又は２記載のスマートＩＯＴツールボックスシステム。
【請求項１１】
前記使用者端末は，スマートフォン，タブレットＰＣ，ノートブック型ＰＣ及びデスクトップＰＣからなる群から選択される１種以上を含み，
前記スマートＩＯＴツールボックスは，ツールボックス，ロッカー，引き出し，キャビネット，自動販売機及びラック（Rack）からなる群から選択される１種以上を含み，
前記自動供給装置は，無人運搬ロボット（ＡＧＶ）又は移動式トロリー（trolley）を含むことを特徴とする請求項１又は２記載のスマートＩＯＴツールボックスシステム。
【発明の詳細な説明】
【技術分野】
【０００１】
本発明は，スマートＩＯＴ（Internet Of Things）ツールボックスシステムに関するものである。具体的に，本発明は，ツールボックスに保管された工具，部品などの自動提供及び自動在庫管理が可能であり，工具などの盗難を防止することができるスマートＩＯＴツールボックスシステムに関するものである。
【背景技術】
【０００２】
一般に，工具は機械工作過程で作動機械の補助的役割をする道具を意味するもので，例えばバイト，カッター，研削機などがあり，部品は機械工作によって製品を製造する過程で製品を構成する構成品を意味するもので，例えばボルト，ナットなどがある。
【０００３】
このような工具などはおよそ２００万余の品目があるため，これを体系的かつ効率的に管理することは容易ではなく，また被加工物を高精度に加工するために周期的に交換しなければならない工具もあるため，このような工具などを管理するために工具品目をデータベース化しなければならない。しかし，これを管理する専門的人材が必要であり，製造会社では人件費などの費用が増加する問題がある。
【０００４】
現在，全ての産業においてスマートファクトリー化の趨勢が一般的であり，このような変化に応じて，工具管理プログラム及び工具管理システムは，製造及び生産性を向上させ，適した工具などを所要数量だけ製造現場に供給し，スマート化して管理するために一貫して開発されている。
【０００５】
したがって，ツールボックスに保管された工具，部品などの自動提供及び自動在庫管理が可能であり，工具などの盗難防止が可能なスマートＩＯＴツールボックスシステムが切実に要求されているのが実情である。
【発明の概要】
【発明が解決しようとする課題】
【０００６】
本発明は，ツールボックスに保管された工具，部品などの自動提供及び自動在庫管理が可能なスマートＩＯＴツールボックスシステムを提供することを目的とする。
【０００７】
また，本発明は，工具などの盗難を防止することができるスマートＩＯＴツールボックスシステムを提供することを他の目的とする。
【課題を解決するための手段】
【０００８】
前記課題を解決するために，本発明は，スマートＩＯＴツールボックスシステムであって，使用者端末，管理サーバー，スマートＩＯＴツールボックス及び自動供給装置を含み，工具又は部品の需要者は前記使用者端末を介して所要の工具又は部品を使用又は借用するかあるいは使用した工具又は部品を返納するために，使用又は借用しようとする工具又は部品の種類及び数量に対する要請，又は返納しようとする工具又は部品の種類又は数量に対する要請を前記管理サーバーに伝送し，前記スマートＩＯＴツールボックスは工具又は部品を種類別に保管することができる複数の保管ボックスを含み，前記管理サーバーは，前記使用者端末から前記要請を受信するとき，需要者が使用又は借用しようとする種類の工具又は部品が要請した数量だけ前記スマートＩＯＴツールボックスに保管されていれば，需要者情報を前記自動供給装置に伝送し，前記自動供給装置は，前記管理サーバーから前記需要者情報を受信する場合，前記需要者の位置に前記スマートＩＯＴツールボックスを移送することを特徴とする，スマートＩＯＴツールボックスシステムを提供する。
【０００９】
ここで，前記スマートＩＯＴツールボックスは，前記それぞれの保管ボックスに保管された工具又は部品の重さを測定することができる計量器を備え，種類別工具又は部品の重さを測定し，測定された重さ情報を前記管理サーバーに伝送し，前記管理サーバーは，前記スマートＩＯＴツールボックスから伝送された種類別工具又は部品の重さ情報に基づいて前記工具又は部品の数量を計算して記録する，スマートＩＯＴツールボックスシステムを提供する。
【００１０】
そして，前記管理サーバーは，前記スマートＩＯＴツールボックスに保管された工具又は部品の種類及び数量と種類別工具又は部品の使用者又は貸手の情報を前記使用者端末に伝送することを特徴とする，スマートＩＯＴツールボックスシステムを提供する。
【００１１】
また，前記管理サーバーは，前記スマートＩＯＴツールボックスに保管された種類別工具又は部品の数量が基準に達しない場合，前記工具又は部品の貸手に前記貸手の使用者端末を介して回収要請をするかあるいは前記工具又は部品の製造社に購買申込みをすることを特徴とする，スマートＩＯＴツールボックスシステムを提供する。
【００１２】
そして，前記スマートＩＯＴツールボックスは，ハウジング，及び前記ハウジングに備えられ，工具又は部品を種類別に別個に保管する複数の保管ボックスを含み，前記複数の保管ボックスのそれぞれは，前記それぞれの保管ボックスに保管された工具又は部品の重さを測定するための計量器を備え，前記計量器で測定された種類別工具又は部品の重さについての情報を前記管理サーバーに伝送する制御部をさらに含むことを特徴とする，スマートＩＯＴツールボックスシステムを提供する。
【００１３】
一方，前記それぞれの保管ボックスは，前記保管ボックスを開閉することができるドア，及び前記ドアのロック装置を含み，前記自動供給装置によって前記スマートＩＯＴツールボックスが前記需要者の位置に移送される場合，前記制御部は，前記需要者が使用又は借用を要請するか返納を要請した工具又は部品が保管された保管ボックスのロック装置を解除して前記ドアが開けられるようにすることを特徴とする，スマートＩＯＴツールボックスシステムを提供する。
【００１４】
ここで，前記それぞれの保管ボックスは電動モータをさらに備え，前記電動モータは前記ドアが自動で開けられるように駆動することを特徴とする，スマートＩＯＴツールボックスシステムを提供する。
【００１５】
また，前記それぞれの保管ボックスは表示灯をさらに含み，前記工具又は部品が保管された保管ボックスのロック装置が解除される場合，前記保管ボックスの表示灯が点灯することを特徴とする，スマートＩＯＴツールボックスシステムを提供する。
【００１６】
一方，前記スマートＩＯＴツールボックスは，前記保管ボックスの他に，使用された工具又は部品を返納するための返納ボックスをさらに備え，前記返納ボックスは，前記返納ボックスに返納された工具又は部品の重さを測定することができる計量器を備え，前記制御部は，前記計量器によって測定された工具又は部品の重さについての情報を前記管理サーバーに伝送し，前記管理サーバーは，前記重さについての情報に基づいて返納された工具又は部品の種類を識別し，前記制御部に前記返納された工具又は部品が保管されるべき保管ボックスの位置についての情報を伝送し，前記制御部は，前記スマートＩＯＴツールボックスの内部に備えられた移送装置を用い，前記伝送された情報に基づいて前記返納ボックスに返納された工具又は部品を保管されるべき保管ボックスに移動させることを特徴とする，スマートＩＯＴツールボックスシステムを提供する。
【００１７】
また，前記自動供給装置は，前記管理サーバーから前記需要者情報を受信して前記需要者の位置に前記スマートＩＯＴツールボックスを運搬する場合，前記需要者の使用者端末の位置追跡によって又は前記自動供給装置に予め入力された需要者の作業場位置の情報を用いて運搬することを特徴とする，スマートＩＯＴツールボックスシステムを提供する。
【００１８】
そして，前記使用者端末は，スマートフォン，タブレットＰＣ，ノートブック型ＰＣ及びデスクトップＰＣからなる群から選択される１種以上を含み，前記スマートＩＯＴツールボックスは，ツールボックス，ロッカー，引き出し，キャビネット，自動販売機及びラック（Rack）からなる群から選択される１種以上を含み，前記自動供給装置は，無人運搬ロボット（ＡＧＶ）又は移動式トロリー（trolley）を含むことを特徴とする，スマートＩＯＴツールボックスシステムを提供する。
【発明の効果】
【００１９】
本発明によるスマートＩＯＴツールボックスシステムは無人運搬ロボット（ＡＧＶ），トロリー（trolley）などと連携して工具などの需要者に所要の工具などを自動で供給し，サーバーを介して工具などの数量を実時間で確認して回収及び注文するなどの自動在庫管理が可能な優れた効果を奏する。
【００２０】
本発明によるスマートＩＯＴツールボックスシステムは，これを構成するスマートＩＯＴツールボックスの自動ロック装置によって工具などの盗難を防止することができる優れた効果を奏する。
【図面の簡単な説明】
【００２１】
【図１】本発明によるスマートＩＯＴツールボックスシステムの構成を概略的に示す図である。
【図２】本発明によるスマートＩＯＴツールボックスシステムの運営プロセスを概略的に示す図である。
【図３】図１に示したスマートＩＯＴツールボックスの形態を概略的に示す図である。
【発明を実施するための形態】
【００２２】
以下，本発明の好適な実施例を詳細に説明する。しかし，本発明はここで説明する実施例に限定されず，他の形態に具体化することもできる。むしろ，ここで紹介する実施例は開始する内容が徹底的で完全になるように，かつ当業者に本発明の思想が充分に伝達されるために提供するものである。また，明細書全般にわたって同じ符号が付けられた構成は同じ構成を示す。
【００２３】
図１は本発明によるスマートＩＯＴツールボックスシステムの構成を概略的に示す図，図２は本発明によるスマートＩＯＴツールボックスシステムの運営プロセスを概略的に示す図である。
【００２４】
図１に示すように，本発明によるスマートＩＯＴツールボックスシステムは，使用者端末１００，スマートＩＯＴツールボックス２００，管理サーバー３００及び自動供給装置４００を含むことができる。
【００２５】
具体的に，前記使用者端末１００は，工具などの需要者が必要とする工具などを使用又は借用するために，使用又は借用しようとする工具などの種類及び数量に対する要請，又は使用した工具などを返納するために，返納しようとする工具などの種類又は数量に対する要請を有線又は無線通信を介して管理サーバー３００に伝送するための装置であり，特に制限されず，スマートフォン，タブレットＰＣ，ノートブック型ＰＣ，デスクトップＰＣなどを含むことができる。
【００２６】
図２に示すように，工具などの需要者は前記管理サーバー３００を介して前記使用者端末１００で前記スマートＩＯＴツールボックス２００に保管された工具などの種類別数量と特定の工具などの現在使用者／貸手の位置を実時間で確認することができ，所要の工具などがないか数量が足りない場合，その回収又は購買を申し込むこともできる。
【００２７】
また，前記スマートＩＯＴツールボックス２００は工具，機械部品，電子部品などを種類別に分離して保管し，種類別に工具などの重さを感知する装置であり，ツールボックス，ロッカー，引き出し，キャビネット，自動販売機，ラック（Rack）などの多様な形態を含むことができる。前記スマートＩＯＴツールボックス２００は，実時間で感知した工具などの種類別重さを有線又は無線通信を介して管理サーバー３００と共有する。
【００２８】
図３は図１に示すスマートＩＯＴツールボックスの形態を概略的に示す図である。
【００２９】
図３に示すように，前記スマートＩＯＴツールボックス２００は，ハウジング２１０に備えられ，工具などを種類別に別個に保管する複数の保管ボックス２２０を含むことができる。例えば，前記保管ボックス２２０は，図３に示すように，引き出しなどの形態の場合，前記引き出しなどの内部にさらに複数に区画された保管ボックス２２０ａ，２２０ｂ，２２０ｃを含むことができる。
【００３０】
図２に示すように，前記スマートＩＯＴツールボックス２００は，前記保管ボックス２２０に保管された種類別工具などについての情報を前記管理サーバー３００に伝送し，図３に示すように，前記管理サーバー３００からの工具の使用や借用要請又は返納要請がある場合，該当工具が保管されているか返納される保管ボックス２２０の開閉を制御する制御部２３０をさらに含むことができる。
【００３１】
具体的に，前記複数の保管ボックス２２０のそれぞれの下部には計量器を備えることにより，該当保管ボックス２２０に保管された種類別工具などの重さを感知し，前記制御部２３０が感知された種類別工具などの重さを有線又は無線通信を介して管理サーバー３００に伝送すれば，前記管理サーバー３００は，伝送された種類別工具などの重さを該当工具の１個の重さで割って該当工具などの数量を計算して記録及び管理する。
【００３２】
また，前記管理サーバー３００は，伝送された種類別工具などの重さを該当工具の１個の重さで割ったときに割り切れる場合，該当保管ボックス２２０に保管されなければならない工具など以外の工具などが保管されていると判断し，これを管理者に知らせることができる。
【００３３】
そして，図２に示すように，前記管理サーバー３００は，該当工具などの数量を実時間で管理し，該当工具などが消耗品ではない場合，該当工具などの数量が内部的に管理される最小数量に達しないとき，自動で該当工具を借用した貸手に返納要請を伝送し，前記貸手は前記使用者端末１００を介して前記返納要請を受信する。
【００３４】
一方，前記管理サーバー３００は，前記該当工具などが消耗品の場合，該当工具などの数量が内部的に管理される最小数量に達しないとき，自動で該当工具などの販売先に連絡して該当工具の買入の申込みを進めることができる。
【００３５】
そして，前記複数の保管ボックス２２０のそれぞれには，各保管ボックス２２０を開閉することができるドア２２１，前記ドア２２１のロック装置２２２，ＬＥＤ表示灯２２３などをさらに含むことができる。前記制御部２３０は，前記管理サーバー３００からの工具の使用や借用要請又は返納要請がある場合，該当工具などが保管されているかあるいは保管されるべき保管ボックス２２０のロック装置２２２を解除し，ＬＥＤ表示灯２２３を点灯させることができ，また電動モータなどによって自動でドア２２１が開けられるように駆動することにより，工具などの需要者が前記保管ボックス２２０から所要の工具などを取り出すかあるいは使用した工具などを返納するようにすることができる。
【００３６】
また，前記スマートＩＯＴツールボックス２００は，前記保管ボックス２２０の他に，使用された工具などを返納するための返納ボックスをさらに備えることができる。前記返納ボックスは，その下部に計量器を備えているから，前記返納ボックスに工具などが返納された場合，該当工具などの重さを測定し，これを制御部２３０を介して前記管理サーバー３００に伝送し，前記管理サーバー３００は，該当工具が保管されるべき保管ボックス２２０の位置を再び前記スマートＩＯＴツールボックス２００の制御部２３０に伝送し，前記制御部２３０は前記スマートＩＯＴツールボックス２００の内部に備えられた移動装置によって自動で該当工具を該当保管ボックス２２０に移動させることができる。
【００３７】
前記自動供給装置４００は無人運搬ロボット（ＡＧＶ），移動式トロリー（trolley）などであり，図２に示すように，工具などの需要者が前記使用者端末１００を介して所要の工具などの使用や借用又は使用した工具などの返納を要請すれば，前記管理サーバー３００は，このような要請と需要者情報を前記自動供給装置４００に信号として伝送し，前記自動供給装置４００は前記スマートＩＯＴツールボックス２００を前記需要者の位置に運搬することで，前記需要者が自分の作業場で前記スマートＩＯＴツールボックス２００に保管された工具などを楽に使用又は借用するかあるいは使用した工具などを返納することができる。
【００３８】
前記自動供給装置４００が前記需要者の作業場に到着すれば，前記需要者の使用者端末１００を介して前記需要者を呼び出し，前記需要者が呼出しに応答すれば，前記スマートＩＯＴツールボックス２００の制御部２３０は，前記需要者が要請した工具などが保管されているか保管されるべき保管ボックス２２０のロック装置２２２を解除し，ＬＥＤ表示灯２２３を点灯するか，前記保管ボックス２２０のドア２２１を自動で開けることにより，需要者が工具などを取り出すか保管することができるようにする。
【００３９】
ここで，前記自動供給装置４００は，前記スマートＩＯＴツールボックス２００を前記需要者の位置に運搬するとき，前記需要者の使用者端末１００の位置追跡によって運搬するかあるいは予め入力された需要者の作業場の位置情報に基づいて運搬することができる。
【００４０】
本発明によるスマートＩＯＴツールボックスシステムは，前述した構成によって，ツールボックスに保管された工具，部品などの自動提供及び自動在庫管理が可能であり，工具などの盗難を防止することができる効果を奏することができる。
【００４１】
本明細書は本発明の好適な実施例に基づいて説明したが，当業者は以下で記述する特許請求の範囲に記載した本発明の思想及び領域から逸脱しない範疇内で本発明を多様に修正及び変更して実施することが可能である。したがって，変形された実施が基本的に本発明の特許請求の範囲の構成要素を含んでいれば，いずれも本発明の技術的範疇に含まれると見なさなければならない。
【符号の説明】
【００４２】
１００    使用者端末
２００    スマートＩＯＴツールボックス
３００    管理サーバー
４００    自動供給装置
【図１】
2020161113.tif 000003
【図２】
2020161113.tif 000004
【図３】
2020161113.tif 000005